(57)【特許請求の範囲】
【請求項１】
内部に揺動可能に配置した錘部材の重心移動を利用して第１の形態と第２の形態とに可逆的に形態を変化させる形態変化玩具であって、水平状態では第１の形態をなし、垂直状態では第２の形態をなす、以下の要件を備えることを特徴とする形態変化玩具。
（イ）上記形態変化玩具は、フレームに複数の回動部材が回動可能に設けられ、該回動部材は回動の前後で異なる外観を表現するように構成され、回動前は第１の形態を表現し、回動後は第２の形態を表現するようにしたこと
（ロ）上記フレームの後部には上記錘部材が配置され、該錘部材は前後に揺動可能に配置され、揺動時には重心の移動が発生すること
（ハ）上記フレームには上記回動部材を回動させる回動機構を配置し、該回動機構は上記錘部材の重心の移動を駆動力として作動すること
（ニ）上記錘部材の揺動を阻止するロック装置を備え、該ロック装置のロック解除部材の一部を上記形態変化玩具が水平状態の第１の形態において後部から後方に突出させ、上記形態変化玩具を垂直状態にして上記後部を接地させて上記ロック解除部材を接地面で押し操作したときに、上記錘部材の揺動の阻止が解除されて上記錘部材が揺動し、第１の形態から第２の形態へと変化すること
【発明の詳細な説明】
【技術分野】
【０００１】
本発明は、乗物や動物等の第１の形態からロボット等の第２の形態に相互に形態を変化する形態変化玩具であって、玩具本体の内部に配置した錘部材の重心移動によって走行玩具等の第１の形態と第２の形態とに可逆的に形態を変化させる形態変化玩具に関するものである。
【背景技術】
【０００２】
従来、形態変化玩具の形態を変化させて遊ぶときには構成部品を一つひとつ手動で操作しなければならず、操作の手順が煩雑であったため簡単な操作で玩具の形態を変化させることができる形態変化玩具が提案されている（例えば、特許文献１）。この形態変化玩具は後部材には前後にスライド自在にスライド部材が設けられ、該スライド部材にはラックが形成されるとともに一部が後部材の上部に露出し操作体が取着されているので、操作体を操作してスライド部材を前方にスライドさせると、該スライド部材に形成されたラックが前方にスライドする。該ラックには連結リンクの端部に形成されたギヤが噛合しているので、連結リンクは回動軸を中心に回動しながら折り畳まれる。この連結リンクには前部材が回動自在に連結されるとともに、該前部材は後部材に折り曲げ可能に連結されているので、前部材は後部材に対して折り曲げられ、例えば他の形態がロボット形態であれば前部材と後部材とで他の形態の一部であるロボット形態における胴体部を構成するようにしたものである。
【特許文献１】特開平９−１０４４２号公報
【発明の開示】
【発明が解決しようとする課題】
【０００３】
本発明が解決しようとする問題点は、上述の形態変化玩具はスライド部材を操作するという簡単な操作で、形態を変化をさせることができる点では年少者にも楽しむことができるが、そこには形態を変化させるという意識の元に操作をすることになり、見るものには驚きや感動を与えることはできなかった。
【０００４】
本発明は、上記問題点を解決し、形態変化を意識して操作をしなくても形態変化玩具を水平状態と垂直状態とに状態を可逆的に変化させるだけで、瞬時に形態を変化させることができ、見る物に驚きと感動を与える新しい発想の形態変化玩具を提供することを課題とする。
【課題を解決するための手段】
【０００５】
前記課題を解決するために本発明に係る形態変化玩具は、内部に揺動可能に配置した錘部材の重心移動を利用して第１の形態と第２の形態とに可逆的に形態を変化させる形態変化玩具であって、水平状態では第１の形態をなし、垂直状態では第２の形態をなす、以下の要件を備えることを特徴とする形態変化玩具。
（イ）上記形態変化玩具は、フレームに複数の回動部材が回動可能に設けられ、該回動部材は回動の前後で異なる外観を表現するように構成され、回動前は第１の形態を表現し、回動後は第２の形態を表現するようにしたこと
（ロ）上記フレームの後部には上記錘部材が配置され、該錘部材は前後に揺動可能に配置され、揺動時には重心の移動が発生すること
（ハ）上記フレームには上記回動部材を回動させる回動機構を配置し、該回動機構は上記錘部材の重心の移動を駆動力として作動すること
（ニ）上記錘部材の揺動を阻止するロック装置を備え、該ロック装置のロック解除部材の一部を上記形態変化玩具が水平状態の第１の形態において後部から後方に突出させ、上記形態変化玩具を垂直状態にして上記後部を接地させて上記ロック解除部材を接地面で押し操作したときに、上記錘部材の揺動の阻止が解除されて上記錘部材が揺動し、第１の形態から第２の形態へと変化すること
【０００６】
また、前記形態変化玩具は、前記錘部材の揺動を阻止するロック装置を備え、該ロック装置のロック解除部材の一部を前記形態変化玩具が水平状態の第１の形態において後部から後方に突出させ、前記形態変化玩具を垂直状態にして上記ロック解除部材を押し操作することにより錘部材の揺動の阻止が解除されるようにしてもよい。
【０００７】
そして、前記形態変化玩具の第２の形態はロボットの形態が好ましい。
【発明の効果】
【０００８】
請求項１の発明によれば、形態変化玩具を水平状態から垂直状態に、垂直状態から水平状態に状態を変えるだけで第１の形態と第２の形態とに可逆的に形態の変化をさせることができるので、従来の形態変化玩具を形態変化させるために必要な特別な操作や構成部品の組替えなどをすることなく形態の変化前と変化後を簡単に確認することができる新しい発想の形態変化玩具を実現することができる。
【０００９】
しかも、形態変化玩具が水平状態と垂直状態とに可逆的に状態を変えることにより錘部材の重心移動が発生し、この重心移動を駆動力として回動部材を回動させる回動機構を作動させるので、回動機構を外部から操作することなく、瞬時に形態を変化させることができる。
【００１０】
また、錘部材の揺動を阻止し、重心の移動が勝手に行なわれないようにロック装置を設けたので、垂直状態又は水平状態に状態を変えただけでは形態の変化を起こさず、後部を接地させることにより形態を変化させることができるので、マジックで形態を変化させるような印象を見る者に与える新しい発想の形態変化玩具を実現することができる。
【発明を実施するための最良の形態】
【００１１】
図１は、本発明に係る形態変化玩具Ａの第１の形態の一例を示し、この第１の形態は本発明では走行体を模して構成するとともに、第２の形態に形態を変化させると、図２に示すように、ロボットの形態に形態を変化させることができるようにしたものである。
【００１２】
この走行体はフレーム１に複数の回動部材２が設けられ、この回動部材２を回動させることにより第１の形態と第２の形態とに可逆的に形態を変化させるようにしたもので、この回動部材２は第１の形態が走行体の場合には、ボンネットを模した前カバー部材３と、屋根を模した上カバー部材５と、後述する頭部４２とで構成され、前カバー部材３は右ボンネットを模した右前カバー部材３ａと左ボンネットを模した左前カバー部材３ｂとの２つの部材で構成されている。なお、後カバー部材４はフレーム１に固定されて後述する回動機構Ｂをカバーしている。
【００１３】
なお、後カバー部材４の上面にはロボットの脚部を模して擬似脚部４ａが山形状に形成され、この擬似脚部４ａは上カバー５の後端に上下に回動可能に取り付けられたサブカバー５ａで覆われている。
【００１４】
図３に示すように、上記回動機構Ｂは錘部材１０の重心移動を動力として右前カバー部材３ａ、左前カバー部材３ｂ他を回動させるもので、この回動機構Ｂはフレーム１上に前後方向に配置され、クラウン歯車１５、駆動歯車１６、笠歯車１７を備えた駆動シャフト１８と、錘部材１０の前後動に連動して上記駆動シャフト１８を回転させる扇歯車２０とで構成され、扇歯車２０の回転は中間歯車２１を介してクラウン歯車１５に伝達されるようになっている。
【００１５】
上記錘部材１０は、図示しない軸受けに軸支されて回転するシャフト２２の両端に固定され、このシャフト２２のほぼ中央には上記扇歯車２０が固定され、錘部材１０はフレーム１の前後方向に向かって揺動するようになっており、錘部材１０が揺動すると同軸上の扇歯車２０も前後に回転するので、この扇歯車２０に噛み合う中間歯車２１が回転し、この中間歯車２１には駆動シャフト１８の後端に固定されたクラウン歯車１５が噛み合っているので、クラウン歯車１５が回転させられ駆動シャフト１８が回転するようになっている。
【００１６】
なお、上記錘部材１０は、形態変化玩具Ａを水平状態から垂直状態に状態を変えただけでは回動して重心の移動が発生しないように、ロック装置Ｃでロックされている。このロック装置Ｃは、図４に示すように、上下面に左右方向に形成された凸縁２３ａが図示しないガイド溝にガイドされて左右にスライド移動するスライド部材２３と、上下面に前後方向に形成された凸縁２４ａが図示しないガイド溝にガイドされて前後スライド移動するロック解除部材２４とで構成され、このスライド部材２３の側面には錘部材１０に形成された係合凹部１０ａに係脱する係合爪２５が形成され、後面にはロック解除部材２４に係合する係合凸部２６が形成されている。この係合凸部２６の先端２６ａとロック解除部材２４の先端２４ｂとは斜めに傾斜して、互いの傾斜面が擦れ合うようになっており、ロック解除部材２４が押されるとスライド部材２３は係合爪２５が錘部材１０の係合凹部１０ａから抜けるようになっており、形態変化玩具Ａが水平状態で車輪が接地しているときにはロック状態にあり、垂直状態で後カバー４の背面を接地させた場合は、ロック解除部材２４が接地面で押されて後カバー４内に移動して、スライド部材２３の係合爪２５が係合凹部１０ａから外れてロックが解除されるようになっている。したがって、形態変化玩具を垂直状態にしただけでは形態の変化が起きず、接地しなければ形態の変化は起きないようになっている。
【００１７】
そして、駆動シャフト１８のほぼ中央に固定された駆動歯車１６には上下から挟むように２つのクラウン歯車３０、３１が噛み合っている。このクラウン歯車３０、３１にはそれぞれ歯車３２、３３が一体に形成され、この歯車３２、３３にはそれぞれ、右前カバー部材３ａ、左前カバー部材３ｂを回動させるアーム部材３４、３５が連係している。
【００１８】
このアーム部材３４、３５はそれぞれ外側にくの字状に曲折した２つのアーム部材３４ａ、３４ｂとアーム部材３５ａ、３５ｂとで構成され、それぞれ一端がフレーム１に、他端が右前カバー部材３ａ、左前カバー部材３ｂにそれぞれ回動可能に軸支され、アーム部材３４、３５が外側に回動するときは右前カバー部材３ａ、左前カバー部材３ｂはフレーム１に対して並行に外側に回動移動するようになっている。
【００１９】
上記アーム部材３４ａとアーム部材３５ａの一端には、それぞれ扇状のラックギヤ３６、３７が形成され、このラックギヤ３６、３７はそれぞれクラウン歯車３０、３１と一体の歯車３２、３３に噛み合っている。
【００２０】
そして、駆動シャフト１８の前部に固定されている笠歯車１７には、笠歯車４０が噛み合っている。この笠歯車４０の軸４１は後カバー部材４を突き抜け、先端には上カバー部材５が固定されている。
【００２１】
さらに、駆動シャフト１８の先端には回動部材の一つであるロボットの頭部４２が取り付けられ、駆動シャフト１８が１８０度回転すると頭部４２は後向きから前向きに変わるようになっている。
【００２２】
次に、上記構成の形態変化玩具Ａの作動態様について説明する。先ず、図５に示すように、形態変化玩具を垂直の状態にする。この状態では、図６（ａ）に示すように、後カバー４が接地面ａから離れているので、ロック解除部材２４は後カバー４から突出した状態になっているのでスライド部材２３をスライドさせられないので、スライド部材２３の係合爪２５は錘部材１０の係合凹部１０ａに係合したままのため錘部材１０は下方に回動できないので、回動機構Ｂは作動することはない（図７（ａ）参照）。そのため、右前カバー部材３ａ、左前カバー部材３ｂ、頭部４２、上カバー５は回動せず、水平状態の時と同じ状態を維持している。
【００２３】
次に、図６（ｂ）に示すように、垂直にした状態で接地面ａに立てた状態にすると、ロック解除部材２４が後カバー４内に押し込まれるので、スライド部材２３は左にスライド移動させられて係合爪２５が係合凹部１０ａから抜けるので、係合爪２５による錘部材１０のロックが解除され、図７（ｂ）に示すように、重心ｇが横にあった錘部材１０は重心ｇの下降に伴って下方に回動する。錘部材１０が下方に回動すると錘部材１０のシャフト２２に固定された扇歯車２０が下方に回転し、扇歯車２０に噛み合った中間歯車２１が回転してクラウン歯車１５が回転するので、駆動シャフト１８が回転する。
【００２４】
駆動シャフト１８が回転すると、この駆動シャフト１８に固定されている駆動歯車１６、も回転するので、駆動歯車１６に噛み合っているクラウン歯車３０、３１が回転する。このクラウン歯車３０と一体の歯車３２にはアーム部材３４ａのラックギヤ３６が、クラウン歯車３１と一体の歯車３３にはアーム部材３５ａのラックギヤ３７がそれぞれ噛み合っているので、アーム部材３４、３５は外側に回動し、右前カバー３ａ、左前カバー３ｂはフレームから離反する方向に移動を始める（図８参照）。
【００２５】
一方、駆動シャフト１８に固定されている笠歯車１７も回転するので、笠歯車１７に噛み合っている笠歯車４０も回転し、笠歯車４０の軸４１に固定されている上カバー５も回転を始める。そして、駆動シャフト１８の先端に固定されている頭部４２も同様に回転を始める。
【００２６】
錘部材１０の重心がシャフト２２の真下に移動したときには、扇歯車２０の回転も止まり、回動機構Ｂも停止する。この状態では、図２に示すように、右前カバー３ａ、左前カバー３ｂは外側に移動してロボットの腕を構成するとともに、頭部４２が顔面が前方を向いた状態になって露出し、上カバー５も上下が反転し、後カバー４上に形成されていた擬似脚部４ａも露出して、ロボットの足を表現することになり、走行体の形態の時には擬似脚部５ａを隠していたサブカバー５ａは自重で前に倒れて頭部４２を隠すことがなくなり、走行体の形態からロボットの形態に一瞬にして形態を変化させることができる。
【００２７】
なお、ロボットの形態で水平状態に戻せば錘部材１０は重心ｇが前方に移動するので駆動シャフト１８は逆回転することになり、この駆動シャフト１８に取り付けられた駆動歯車１６、笠歯車１７は逆回転し、右前カバー３ａ、左前カバー３ｂ、上カバー５、頭部４２は元の状態に戻り、ロボットの形態から走行体の形態に瞬時に戻すことができる。
【００２８】
また、図示しないが、ロボットの形態において後部（背中側）にロック装置Ｃを配置し、背中側から解除部材２４の先端を突出させてもよい。このことにより、水平状態に戻しただけでは第１の形態に戻らず、ロボットの背中を接地させたときに第１の形態である走行体の形態に戻すことができる。
【００２９】
次に、上述の形態変化玩具Ａを収容する収容ケースＰについて説明する。この収容ケースＰに形態変化玩具Ａを収容する場合は、図９に示すように、形態変化玩具Ａが第１の形態である走行体の状態で収容するようにし、収容ケースＰの底板５０には形態変化玩具Ａが底板５０に張り付かないように浮かすための台５１と、台の中央に固定手段であるネジ５２を挿通するための貫通孔５３と、形態変化玩具Ａが後壁５４に張り付かないように支持する支持板５５を設け、後壁５４には形態変化玩具Ａの後部から後方に突出したロック解除部材２４に当接し、このロック解除部材２４を押し込む当接部５６を設けたもので、形態変化玩具Ａを収容ケースＰ内に収容し、ロック解除部材２４を当接部５６に押し付けた状態で、収容ケースＰの裏側からネジ５２を形態変化玩具Ａの底部に形成されたネジ孔５７に捻じ込み、形態変化玩具Ａを、図１０（ａ）に示すように、収容ケースＰ内に固定する。
【００３０】
この状態で、収容ケースＰを起こすと、ロック解除部材２４は既に当接部材によって押し込まれてスライド部材２３の係合爪２５は錘部材１０の係合凹部１０ａから外れて錘部材１０のロックは解除されているので、錘部材１０の重心移動が起こり、回動機構Ｂが作動して、形態変化玩具Ａは走行体の形態からロボットの形態に瞬時に形態が変化する（図１０（ｂ）参照）。
【００３１】
上述したように、形態変化玩具Ａを収容した収容ケースＰを水平状態から垂直状態にするだけで形態の変化が起こるので、購買者は店頭に陳列されている実売用の形態変化玩具を直接触れることなく形態の変化を確認できるし、販売者はサンプルの形態変化玩具を置く必要がなく、様々な種類の形態変化玩具であっても全て対応することができ、購買者にとっては簡単に形態の変化を確認することができ、販売者にとってはサンプルを用意することなく実売品だけ用意すれば済むので、両者にとって有効な形態変化玩具を提供することができる。
【図面の簡単な説明】
【００３２】
【図１】本発明に係る形態変化玩具の第１の形態の一例である走行体の斜視図
【図２】上記形態変化玩具が第２の形態であるロボットに形態を変化した状態を示す    斜視図
【図３】形態変化玩具の内部構造を説明する分解斜視図
【図４】ロック装置を説明する斜視図
【図５】第１の形態の走行体を模した形態変化玩具を垂直の状態にした斜視図
【図６】（ａ）（ｂ）は上記形態変化玩具を垂直にした状態と、接地した状態を正面側から見た動作説明図
【図７】（ａ）（ｂ）は上記形態変化玩具を垂直にした状態と、接地した状態を側面側から見た動作説明図
【図８】上記形態変化玩具がロボットに形態を変化させる途中の説明図
【図９】上記形態変化玩具を収容する収容ケースを説明する斜視図
【図１０】（ａ）（ｂ）は形態変化玩具を収容した収容ケースの横にした状態と縦にした状態を示す斜視図
【符号の説明】
【００３３】
１    フレーム
２    回動部材
３    前カバー部材
４    後カバー部材
５    上カバー部材
１０  錘部材
２４  ロック解除部材
４２  頭部
Ａ    形態変化玩具
Ｂ    回動機構
Ｃ    ロック装置
【図１】
0004598839.tif 000002
【図２】
0004598839.tif 000003
【図３】
0004598839.tif 000004
【図４】
0004598839.tif 000005
【図５】
0004598839.tif 000006
【図６】
0004598839.tif 000007
【図７】
0004598839.tif 000008
【図８】
0004598839.tif 000009
【図９】
0004598839.tif 000010
【図１０】
0004598839.tif 000011